【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
ディスプレイ・システムであって、
複数のディスプレイ・パネルであって、各パネルがＬＥＤ画素モジュールの二次元アレイによって形成されており、各画素モジュールが、複数の多色ＬＥＤを支持する筐体と、受け取った画素データに応答して前記モジュールのＬＥＤの彩度を制御するコントローラとを有する、ディスプレイ・パネルと、
複数のデータ・ハブであって、ディスプレイ・パネルが当該パネルの画素毎に画素データを、当該ディスプレイ・パネルが接続されているデータ・ハブの１つ以上から受け取ることを可能にするために、各データ・パネルが少なくとも２つのデータ・ハブに接続されており、各データ・ハブが前記パネルの異なる画素モジュールに接続されており、データ・ハブが、当該データ・ハブが接続されているパネルの画素毎に画素データを供給することを可能にするために、各データ・ハブが前記ディスプレイの少なくとも２つのパネルに接続されている、データ・ハブと、
を備えている、ディスプレイ・システム。
【請求項２】
請求項１記載のディスプレイ・システムにおいて、各パネルの少なくとも４つの画素モジュールが当該パネルの画素毎に冗長画素データを直接受け取るように、各データ・ハブが各パネルの少なくとも２つの画素モジュールに接続されている、ディスプレイ・システム。
【請求項３】
請求項２記載のディスプレイ・システムにおいて、前記データ・ハブから冗長データを直接受け取る前記パネルの前記４つの画素モジュールの各々は、前記パネルの複数の他の画素モジュールに、受け取ったデータを配信する、ディスプレイ・システム。
【請求項４】
請求項３記載のディスプレイ・システムにおいて、前記ディスプレイの複数の画素モジュールは、４つの他の画素モジュールのいずれの１つからでもデータを直接受け取ることができる、ディスプレイ・システム。
【請求項５】
請求項１記載のディスプレイ・システムにおいて、前記ディスプレイの前記画素モジュールは、列単位に整列されており、各データ・ハブがデータをパネルに列毎に転送する、ディスプレイ・システム。
【請求項６】
請求項１記載のディスプレイ・システムにおいて、データ・ハブによって供給される前記データは、前記ディスプレイの列を特定する列ヘッダと、これに続く、前記列の画素毎のデータとを含む、ディスプレイ・システム。  
【請求項７】
請求項６記載のディスプレイ・システムにおいて、前記データ・ハブによって供給されるデータは、前記列ヘッダに続くセグメント・ヘッダを含み、該セグメント・ヘッダは、前記特定した列における画素モジュールのセグメントを特定し、当該セグメントの画素モジュール毎のデータが前記セグメント・ヘッダの後に続く、ディスプレイ・システム。
【請求項８】
請求項１記載のディスプレイ・システムであって、複数の電力ハブを含み、各電力ハブが前記ディスプレイの少なくとも１つのパネルに合わせてＡ．Ｃ．電力をＤ．Ｃ．電力に変換する、ディスプレイ・システム。
【請求項９】
請求項１記載のディスプレイ・システムにおいて、各データ・ハブは電力ハブからＤ．Ｃ．電力を受電し、前記電力ハブから前記ディスプレイにＤ．Ｃ．電力を配電する、ディスプレイ・システム。
【請求項１０】
ディスプレイ・システムであって、
複数のディスプレイ・パネルであって、各パネルがＬＥＤ画素モジュールの二次元アレイによって形成されており、各画素モジュールが、複数の多色ＬＥＤを支持する筐体と、受け取った画素データに応答して前記モジュールのＬＥＤの彩度を制御するコントローラとを有する、ディスプレイ・パネルと、
複数のデータ・ハブであって、ディスプレイ・パネルが当該パネルの画素毎に画素データを、当該ディスプレイ・パネルが接続されているデータ・ハブの１つ以上から受け取ることを可能にするために、各ディスプレイ・パネルが少なくとも２つのデータ・ハブに接続されており、各データ・ハブが前記パネルの異なる画素モジュールに接続されており、データ・ハブが、当該データ・ハブが接続されているパネルの画素毎に画素データを供給することを可能にするために、各データ・ハブが前記ディスプレイの少なくとも２つのパネルに接続されている、データ・ハブと、
複数の電力ハブであって、各電力ハブが前記ディスプレイの少なくとも１つのパネルに合わせてＡ．Ｃ．電力をＤ．Ｃ．電力に変換し、第１グループにおける複数の画素モジュールの各々が、第２グループにおける複数の画素モジュールに合わせて未調整電力を調整電力に変換する電圧レギュレータを含む、複数の電力ハブと、
を備えている、ディスプレイ・システム。
【請求項１１】
請求項１０記載のディスプレイ・システムにおいて、前記電圧レギュレータは、少なくとも１つのスイッチング電力レギュレータを含む、ディスプレイ・システム。
【請求項１２】
請求項１０記載のディスプレイ・システムにおいて、各パネルの少なくとも４つの画素モジュールが当該パネルの画素毎に冗長画素データを直接受け取るように、各データ・ハブが各パネルの少なくとも２つの画素モジュールに接続されている、ディスプレイ・システム。
【請求項１３】
請求項１２記載のディスプレイ・システムにおいて、前記データ・ハブから冗長データを直接受け取る前記パネルの前記４つの画素モジュールの各々は、前記パネルの複数の他の画素モジュールに、受け取ったデータを配信する、ディスプレイ・システム。
【請求項１４】
請求項１０記載のディスプレイ・システムにおいて、前記ディスプレイの複数の画素モジュールは、４つの他の画素モジュールのいずれの１つからでもデータを直接受け取ることができる、ディスプレイ・システム。
【請求項１５】
請求項１０記載のディスプレイ・システムにおいて、前記ディスプレイの前記画素モジュールは、列単位に整列されており、各データ・ハブがデータをパネルに列毎に転送する、ディスプレイ・システム。
【請求項１６】
請求項１０記載のディスプレイ・システムにおいて、データ・ハブによって供給される前記データは、前記ディスプレイの列を特定する列ヘッダと、これに続く、前記列の画素毎のデータとを含む、ディスプレイ・システム。  
【請求項１７】
請求項１０記載のディスプレイ・システムにおいて、前記データ・ハブによって供給されるデータは、前記列ヘッダに続くセグメント・ヘッダを含み、該セグメント・ヘッダは、前記特定した列における画素モジュールのセグメントを特定し、当該セグメントの画素モジュール毎のデータが前記セグメント・ヘッダの後に続く、ディスプレイ・システム。
【請求項１８】
ディスプレイ・システムであって、
複数のディスプレイ・パネルであって、各パネルがＬＥＤ画素モジュールの二次元アレイによって形成されており、各画素モジュールが、複数の多色ＬＥＤを支持する筐体と、受け取った画素データに応答して前記モジュールのＬＥＤの彩度を制御するコントローラとを有する、ディスプレイ・パネルと、
複数のデータ・ハブであって、ディスプレイ・パネルが当該パネルの画素毎に画素データを、当該ディスプレイ・パネルが接続されているデータ・ハブの１つ以上から受け取ることを可能にするために、各データ・パネルが少なくとも２つのデータ・ハブに接続されており、各データ・ハブが前記パネルの異なる画素モジュールに接続されており、データ・ハブが、当該データ・ハブが接続されているパネルの画素毎に画素データを供給することを可能にするために、各データ・ハブが前記ディスプレイの少なくとも２つのパネルに接続されており、第１ディスプレイ・パネルに接続されている第１データ・ハブが、当該第１データ・ハブが接続されていないディスプレイ・パネルに接続されている第２データ・ハブに、前記ディスプレイ全体のデータを供給する、複数のデータ・ハブと、
を備えている、ディスプレイ・システム。
【請求項１９】
請求項１８記載のディスプレイ・システムにおいて、第２ディスプレイ・パネルに接続されている第３データ・ハブが、第４データ・ハブに前記ディスプレイ全体のデータを供給する、ディスプレイ・システム。
【請求項２０】
請求項１９記載のディスプレイ・システムにおいて、前記第４データ・ハブは、前記第３データ・ハブが接続されていないディスプレイ・パネルに接続されている、ディスプレイ・システム。